(57)【要約】      （修正有）【課題】アーティフィシャルフラワーをランプ傘部に固着させて、美麗な外観を有する装飾ランプを提供する。【解決手段】アーティフィシャルフラワーの裏面を接着剤により、傘部に固着させる。使用中に、花びら部や花芯部が分離、脱落することなきように、該花びら部や花芯部をかしめ、融着あるいは装着をおこなう。【選択図】図１
0003146278.tif 000002
【実用新案登録請求の範囲】
【請求項１】
スタンド式、吊り下げ式又は据え付け式の装飾ランプであって、傘部にアーティフィシャルフラワーを固着させたことを特徴とする装飾ランプ。
【請求項２】
前記アーティフィシャルフラワーは、その裏面が接着剤により前記傘部に固着されていることを特徴とする請求項１に記載の装飾ランプ。
【請求項３】
前記アーティフィシャルフラワーは、花芯部及び各花びら部をかしめ、融着し又は接着することにより花芯部及び各花びら部が分離しないように固定されていることを特徴とする請求項１又は２に記載の装飾ランプ。
【考案の詳細な説明】
【技術分野】
【０００１】
本考案は、ランプの傘に花などを付着させることにより、美麗な外観を有する装飾ランプに関するものである。
【背景技術】
【０００２】
従来、ランプの装飾方法としては、傘の形状、模様、色彩、透光性、質感などをデザイン化したものや、有色のランプ光源を用いたものが一般的であった。
従来の装飾ランプの例としては、特徴的な形状に成形した傘を用いたものや、模様及び色彩を付した透光性ある傘を用いてランプ点灯時にデザインが表れるものや、様々な色に発色する発光ダイオード光源を用いたものなどがある。
【考案の開示】
【考案が解決しようとする課題】
【０００３】
このような傘自体の形状等をデザイン化するにあたって、製作者は自己の創作性を際限なく表現したいと考えるが、傘は本来ランプ光源部分の保護や照明量の調整を目的とするものであるので、無制限に変形したり装飾したりできるものではなく、材料の選択にも一定の制約がある。
【０００４】
一方で、特に家庭内や店舗・オフィス内に設置されるランプは、周囲のインテリアデザインと調和して室内空間に彩りを与える役割が望まれており、消費者は機能性よりもデザインや趣味性を重視してランプを購入するのが一般的である。
【０００５】
そこで、本考案はこのような装飾ランプ市場の実情に鑑みて、現状のランプ装飾技法とは全く異なる斬新かつ画期的な方法でランプに装飾を施すことを提案し、これにより従来実現し得なかった創作性に富むデザインを有する装飾ランプを提供しようとするものである。
【課題を解決するための手段】
【０００６】
上記解決課題に鑑みて鋭意研究の結果、本考案者は、様々な形状及び色彩を有するアーティフィシャルフラワーを装飾ランプの傘部に固着させることにより、自由で幅広い装飾を施すことが可能であることに想到し、本考案をなすに至った。
【０００７】
すなわち、本考案は、スタンド式、吊り下げ式又は据え付け式の装飾ランプであって、傘部にアーティフィシャルフラワーを固着させたことを特徴とする装飾ランプを提供するものである。
【０００８】
本考案の装飾ランプにおいて、前記アーティフィシャルフラワーは、その裏面が接着剤により前記傘部に固着されていることを特徴とする。また、前記アーティフィシャルフラワーは、花芯部及び各花びら部をかしめ、融着し又は接着することにより花芯部及び各花びら部が分離しないように固定されていることを特徴とする。
このようにして、アーティフィシャルフラワーを装飾ランプ傘部に強固に固着させて、使用中にアーティフィシャルフラワー自体や花びら部が自重により又はランプの熱により剥がれ落ちることのないようにすることができる。
【考案の効果】
【０００９】
以上説明したように、本考案によれば、様々な形状及び色彩を有するアーティフィシャルフラワーを装飾ランプの傘部に固着させることにより、自由で幅広い装飾を施した装飾ランプを作製することが可能となる。
このように、現状のランプ装飾技法とは全く異なる斬新かつ画期的な方法で装飾を施した、創作性に富むデザインを有するランプが提供されることにより、需要者の幅広い嗜好が満たされることが期待される。
【考案を実施するための最良の形態】
【００１０】
以下に、本考案の装飾ランプの一実施形態について、添付図面を参照しながら説明する。添付図面において同一の符号を付したものは同一の構成部である。
【００１１】
図１は、本考案の一実施形態にかかる装飾ランプの全体構成を概略的に示す図である。
図１に示すように、本実施形態の装飾ランプは、アーティフィシャルフラワーによる装飾を施されたランプ本体部１０と、吊り下げ部２０とからなり、吊り下げ部２０を天井等に固定して吊り下げ式ランプとして使用されるものである。
吊り下げ部２０は電源に接続可能であり、吊り下げ紐を通じてランプ本体部１０に電力を供給することができるように構成されている。
本考案において、「アーティフィシャルフラワー」とは、装飾ランプの部材として適するように、生花を加工したもの又は生花以外の材料を用いて花を模したものをいう。例えば、シルクフラワー、アートフラワー、フェイクフラワー、ドライフラワーなどがこれに含まれる。
【００１２】
図２は、本実施形態の装飾ランプのランプ本体部１０におけるアーティフィシャルフラワーの固着方法を詳細に示す拡大図である。
図２に示すように、アーティフィシャルフラワー１２は、その裏面花芯部付近が接着剤１４によりランプ本体部の外表面１６に接着されている。ここで用いられる接着剤は、シリコン製接着剤、天然樹脂製接着剤、合成樹脂製接着剤などから適したものを適宜選択することができる。
このように、アーティフィシャルフラワー１２を接着剤１４によってランプ本体部に接着することにより、手作業による簡単容易な工程でアーティフィシャルフラワーが剥がれにくい装飾ランプを作製することが可能となっている。
【００１３】
図３は、本実施形態の装飾ランプにおいて用いられるアーティフィシャルフラワーの補強方法を詳細に示す拡大図である。
図３に示すように、アーティフィシャルフラワー１２は、その花芯部中央付近を貫通するかしめ部材１８により補強されている。ここで用いられるかしめ部材１８は、金属製、プラスチック製など適したものを適宜選択することができる。かしめ部材１８は、金属製、プラスチック製その他の材料で作成することができる。
このように、アーティフィシャルフラワー１２をかしめ部材１８によってかしめて補強することにより、花芯部及び各花びら部が互いに剥がれることなく強固に補強されることとなる。
【００１４】
尚、図３に示したようにアーティフィシャルフラワー１２の花芯部中央付近をかしめて補強する方法のほか、花芯部及び各花びら部を接着剤により接着して補強する方法や、花芯部及び各花びら部の一部を溶融して融着させる方法なども用いることができる。いずれの補強方法を用いるかは、アーティフィシャルフラワー１２の花の種類、形状、材質、強度などに応じて適宜選択する。例えば、バラのような花びらがまとまった花であればかしめて補強するのが好ましく、ひまわりのような花びらが散逸した花であれば接着や融着による補強が好ましい。
【００１５】
以上、本考案の一実施形態にかかる装飾ランプについて、具体例を図示しながら説明したが、本考案の装飾ランプは、その形状、構造、寸法、装飾等において上記実施形態に限定されるわけではなく、必要に応じて様々な変更を適宜加えることが可能である。
例えば、本考案の装飾ランプは、上記した吊り下げ式の装飾ランプのみならず、スタンド式又は据え付け式のランプについても同様に適用することが可能である。
その他にも、アーティフィシャルフラワーのランプ本体部への固着方法、アーティフィシャルフラワーの補強方法、電源供給方法などに関しては、当業者が適宜変更・改良し得るものである。
【図面の簡単な説明】
【００１６】
【図１】本考案の一実施形態にかかる装飾ランプの全体構成を概略的に示す図である。
【図２】図１に示す装飾ランプのランプ本体部におけるアーティフィシャルフラワーの固着方法を詳細に示す拡大図である。
【図３】図１に示す装飾ランプにおいて用いられるアーティフィシャルフラワーの補強方法を詳細に示す拡大図である。
【符号の説明】
【００１７】
１０  ランプ本体部
１２  アーティフィシャルフラワー
１４  接着剤
１６  ランプ本体部の外表面
１８  かしめ部材
２０  吊り下げ部
【図１】
0003146278.tif 000003
【図２】
0003146278.tif 000004
【図３】
0003146278.tif 000005